(57)【要約】【課題】  ２重基礎および３重壁を有する結露防止用石材納骨墓を提供すること。【解決手段】  主要構成として基層部材と胴部材と前門石門とでなる通常の納骨墓において、基層部材は、所定の深さに地固めした地面の上部に設けられた基礎石板と、外側底石板と、内側底石板とでなる２重基礎で形成され、胴部材は、外側底石板の外側に設けられた外部柱石と、内側底石板の内側に設けられた内部柱石と、外部柱石同士の間に設けられた外部石壁と、内部柱石同士の間に設けられた内部石壁と、内部柱石を取り囲むように設けられた中間石壁との３重壁で形成され、屋根部材は、内部柱石および内部石壁の上部に設けられて安置室の内部を形成する下部天井と、中間石壁の上部に設けられた中間天井と、外部柱石および外部石壁の上部に設けられた上部天井との３重構造で形成される。【選択図】      図６
2005068963.tif 000002
【特許請求の範囲】
【請求項１】
基層部材、胴部材、前門石門、および屋根部材からなる通常の納骨墓において、
前記基層部材は、２重基礎を形成するために、所定の深さに地固めした地面の上部に設けられた基礎石板と、前記基礎石板の上部に所定距離離隔して設置された外側底石板および内側底石板とを含み、
前記胴部材は、３重壁を形成するために、前記外側底石板の外側に設けられた外部柱石と、前記内側底石板の内側に設けられた内部柱石と、前記外部柱石同士の間に設けられた外部石壁と、前記内部柱石同士の間に設けられた内部石壁と、前記内部柱石を取り囲むように設けられた中間石壁とを含み、前記外部石壁と中間石壁との間には砂利などを充填することで多孔性を示す多孔層が形成され、前記中間石壁と内部石壁との間には空気が流通する空気流通空間が形成され、
前記屋根部材は、３重構造を形成するために、前記内部柱石および内部石壁の上部に設けられて安置室の内部を形成する下部天井と、前記中間石壁の上部に設けられた中間天井と、前記外部柱石および外部石壁の上部に設けられた上部天井とを含み、前記上部天井と中間天井との間には多孔性を示す多孔層が形成され、前記中間天井と下部天井との間には空気が流通する空気流通空間が形成され、
前記外部石壁および中間石壁の一側には外部空気を前記空気流通空間に流入させるための複数の第１の連通孔が形成され、前記内部石壁の一側には前記空気流通空間に流入した空気を安置室の内部に流入させる複数の第２の連通孔が形成され、前記内部石壁および中間石壁の一側には前記納骨墓内部の空気を前記多孔層に流入させるための複数の第３の連通孔が形成され、
前記外部天井と中間天井との間に形成された多孔層は、前記外部石壁と中間石壁との間に形成された多孔層に連結され、前記中間天井と下部天井との間に形成された空気流通空間は、前記中間石壁と内部石壁との間に形成された空気流通空間に連結されることを特徴とする２重基礎および３重壁を有する結露防止用石材納骨墓。
【請求項２】
前記外部柱石の高さは、前記内部柱石の高さより高く設けられたことを特徴とする請求項１に記載の２重基礎および３重壁を有する結露防止用石材納骨墓。
【請求項３】
前記外部柱石および前記内部柱石の一側面には、前記外部石壁と内部石壁とが挿入される挿入溝が縦方向に形成されたことを特徴とする請求項１に記載の２重基礎および３重壁を有する結露防止用石材納骨墓。
【請求項４】
前記外部石壁の高さは前記外部柱石の高さと同じで、前記内部石壁の高さは前記内部柱石の高さと同じで、前記中間石壁の高さは、前記外部石壁の高さと前記内部石壁の高さとの間の値であることを特徴とする請求項１に記載の２重基礎および３重壁を有する結露防止用石材納骨墓。
【請求項５】
前記前門石門は、前記基層部材の上部に置かれる下敷部と、前記下敷部の両側面の外側に位置していて前記外部石壁と同じ高さを有する外部固定部と、前記下敷部の両側面の内側に位置していて前記内部石壁および中間石壁と同じ高さを有するように前記上部に短い段差が形成された内部固定部と、前記内部固定部の上部に設置するとき、中間石壁および内部固定部の高さと同じになるように設けられた内側上部石門枠と、前記外部固定部および内側上部石門枠の上部には外部石壁の高さと同じになるように設けられた外側上部石門枠と、前記内部固定部および内側上部石門枠内に設けられた内部石門と、前記外部固定部と外側上部石門枠との間に設けられた内側石門とを含むことを特徴とする請求項１に記載の２重基礎および３重壁を有する結露防止用石材納骨墓。
【請求項６】
前記第１の連通孔および前記第２の連通孔は石壁の下部に形成され、前記第３の連通孔は前記石壁の上部に形成されたことを特徴とする請求項１に記載の２重基礎および３重壁を有する結露防止用石材納骨墓。
【請求項７】
多孔層に流入した空気に含まれている湿気を吸収するために、多孔層に隣接した前記中間石壁面および中間天井面には生石灰が塗布されたことを特徴とする請求項１に記載の２重基礎および３重壁を有する結露防止用石材納骨墓。
【請求項８】
前記基層部材の下部地面は、生石灰や炭などを用いて地固めしたことを特徴とする請求項１に記載の２重基礎および３重壁を有する結露防止用石材納骨墓。
【発明の詳細な説明】
【技術分野】
【０００１】
本発明は、２重基礎および３重壁を有する結露防止用石材納骨墓に係り、より詳しくは、納骨墓の安置室内部と外部との間に空気が相互流通する空気流通空間および多孔層を形成することにより、外部の空気を安置室内部に流入させて安置室と外部とで生じる温度差を防止し、安置室内部の高温多湿な空気を多孔層に流入させ、多孔層を介して水分を容易に除去できるようにする、２重基礎および３重壁を有する結露防止用石材納骨墓に関する。
【背景技術】
【０００２】
納骨堂とは、火葬後の遺骨を納めておく所をいう。しかし、納骨堂には多数の人の遺骨が同時に納められるので、先祖の魂を独立的に安置しておくことはできないという短所がある。
【０００３】
このような短所を解決するために、墳墓型のお墓の内部に個人または家族単位の遺骨を安置するという納骨墓が多く利用されている。しかし、従来の墳墓型納骨墓は結露現象により遺骨が腐敗してしまい、墓の内部においてひどい悪臭が発生するという短所がある。
【０００４】
上記のような問題点を解決するために本出願人は、図１および図２に示すように、２００２年１１月２０日に公開された下記文献（発明の名称：墳墓型納骨墓の結露防止装置）を通じ、左・右側壁１、２、後壁３、および上壁４が板状に加工されて安置室を形成する第１の石壁５ａと；第１の石壁５ａに所定距離離隔して設置され空気流通空間を形成する第２の石壁５ｂと；第２の石壁５ｂの外面に設けられた石灰壁５ｃと；石灰壁５ｃの外面に設けられた砂利壁５ｄと；砂利壁５ｄの外面に設けられ封墳によって覆わせる粘土壁５ｅと；を有し、左・右側壁１、２、後壁３、および上壁４の第１の石壁５ａには内側連通孔６ａが形成され、左・右側壁１、２および後壁３の第２の石壁５ｂ、石灰壁５ｃ、砂利壁５ｄ、および粘土壁５ｅには相互連通された外側連通孔６ｂが形成され、外側連通孔６ｂにはその一端部が封墳の外側に位置する連通管７の他端部が連通することを特徴とする、墳墓型納骨墓の結露防止装置を提示している。
【特許文献１】大韓民国特許公報第２００２−１９６８５号
【発明の開示】
【発明が解決しようとする課題】
【０００５】
本発明の目的は、底を２重基礎にし、納骨墓の安置室内部と外部との間に空気が相互流通する空気流通空間および多孔層の３重壁を形成し、内部空気と外部空気との温度差により生じる結露を防止することができる、２重基礎および３重壁を有する結露防止用石材納骨墓を提供することにある。
【０００６】
本発明の他の目的は、安置室内部と納骨墓の外部との間に多孔層を形成することにより、納骨墓において発生した高温多湿な空気を多孔層に誘導して結露を完全に除去する、２重基礎および３重壁を有する結露防止用石材納骨墓を提供することにある。
【課題を解決するための手段】
【０００７】
前記目的を達成するために、本発明による２重基礎および３重壁を有する結露防止用石材納骨墓は、基層部材、胴部材、前門石門、および屋根部材からなる通常の納骨墓において、
前記基層部材は、２重基礎を形成するために、所定の深さに地固めした地面の上部に設けられた基礎石板と、前記基礎石板の上部に所定距離離隔して設置された外側底石板および内側底石板とを含み、
前記胴部材は、３重壁を形成するために、前記外側底石板の外側に設けられた外部柱石と、前記内側底石板の内側に設けられた内部柱石と、前記外部柱石同士の間に設けられた外部石壁と、前記内部柱石同士の間に設けられた内部石壁と、前記内部柱石を取り囲むように設けられた中間石壁とを含み、前記外部石壁と中間石壁との間には砂利などを充填することで多孔性を示す多孔層が形成され、前記中間石壁と内部石壁との間には空気が流通する空気流通空間が形成され、
前記屋根部材は、３重構造を形成するために、前記内部柱石および内部石壁の上部に設けられて安置室の内部を形成する下部天井と、前記中間石壁の上部に設けられた中間天井と、前記外部柱石および外部石壁の上部に設けられた上部天井とを含み、前記上部天井と中間天井との間には多孔性を示す多孔層が形成され、前記中間天井と内部天井との間には空気が流通する空気流通空間が形成され、
前記外部石壁および中間石壁の一側には外部空気を前記空気流通空間に流入させるための複数の第１の連通孔が形成され、前記内部石壁の一側には前記空気流通空間に流入した空気を安置室内部に流入させる複数の第２の連通孔が形成され、前記内部石壁および中間石壁の一側には前記納骨墓内部の空気を前記多孔層に流入させるための複数の第３の連通孔が形成され、
前記外部天井と中間天井との間に形成された多孔層は、前記外部石壁と中間石壁との間に形成された多孔層に連結されており、前記中間天井と内部天井との間に形成された空気流通空間は、前記中間石壁と内部石壁との間に形成された空気流通空間に連結されていることを特徴とする。
【０００８】
好ましくは、前記外部柱石の高さは、前記内部柱石の高さより高く設けられたことを特徴とする。
【０００９】
好ましくは、前記外部柱石および前記内部柱石の一側面には、前記外部石壁および内部石壁が挿入される挿入溝が縦方向に形成されたことを特徴とする。
【００１０】
好ましくは、前記外部石壁は前記外部柱石の高さと同じで、前記内部石壁は前記内部柱石の高さと同じで、前記中間石壁の高さは前記外部石壁の高さと前記内部石壁の高さとの間の値をとることを特徴とする。
【００１１】
好ましくは、前記前門石門は、前記基礎部材の上部に置かれる下敷部と、前記下敷部の両側面に位置し、前記外部石壁と同じ高さを有する外部固定部と、前記外部固定部の一側の内面に位置し、前記内部石壁および中間石壁と同じ高さを有するように前記上部に短い段差が形成された内部固定部と、前記内部固定部の上部に設置するとき、中間石壁および内部固定部の高さと同じになるように設けられた内側上部石門枠と、前記外部固定部および内側上部石門枠の上部には外部石壁の高さと同じになるように設けられた外側上部石門枠と、前記内部固定部および内側上部石門枠内に設けられる内側石門と、前記外部固定部および外側上部石門枠内に設けられる内側石門とを含むことを特徴とする。
【００１２】
好ましくは、多孔層に流入した空気に含まれている湿気を吸収するために、多孔層に隣接した前記中間石壁面および中間天井面には生石灰が塗布されたことを特徴とする。
【発明の効果】
【００１３】
以上で説明したように、本発明の２重基礎および３重壁を有する結露防止用石材納骨墓は、基層部材を２重に設け、安置室内部と納骨墓と外部との間に空気が相互流通されるように、２重構造の空気流通空間を形成し、安置室の内部と納骨墓外部とで生じる急激な温度差を防止することができるという效果を有する。
【００１４】
なお、納骨墓内部と外部との温度差によって発生する恐れのある結露現象を多孔層において吸収して自然に解消させることにより、かかる結露現象を確実に防止することができるという長所も有する。
【発明を実施するための最良の形態】
【００１５】
以下、添付した図面を参照して本発明の各実施の形態に基づき、２重基礎および３重壁を有する結露防止用石材納骨墓について詳しく説明する。
【実施例】
【００１６】
図２および図３は、本発明の実施例による基層部分の設置状態図であり、図４は、本発明の実施の形態による各柱石の設置状態図、図５は、図４の各柱石に装着された外部石壁、中間石壁、および内部石壁の設置状態図を示す断面図、図６は、図５のＡ−Ａ’線断面図、図７は、図５のＢ−Ｂ’線断面図、図８は、本発明の実施例による前門石門枠の設置状態図、図９は、本発明の実施例による前門石枠の縦断面図、図１０は、本発明の実施例による屋根部分の設置状態図、また図１１は、図１０のＣ−Ｃ’線断面図である。
【００１７】
本発明の２重基礎および３重壁を有する結露防止用石材納骨墓は、基層部材と、胴部材と、前門石門と、胴部材の上部に置かれる屋根部材とで構成されている。
【００１８】
図３に示すように、基層部材は、生石灰や炭などで所定の深さに地固めした地面１０と、地面１０の上部に設けられた基礎石板１１と、基礎石板１１の上部に設けられ、それぞれ所定距離離隔した外側底石板１２および内側底石板１３と、外側底石板１２および内側底石板１３が離隔して設置されながら形成された空間に砂利などで地固めされた多孔層１４とでなる２重基礎で構成される。このような２重基礎により、底で発生した湿気が安置室内部に流入することを防止し、安置室において生じる可能性のある結露は多孔層１４に流入されて除去される。一方、外側底石板１２および内側底石板１３の上部には、湿気を速かに除去できるように生石灰を塗布することが好ましい。また、安置室を形成する内側底石板１３の内部は、基礎石板に繋がっている陷沒部１５が形成されており、陷沒部１５には炭を充填してから仕上げ石板１６を設けることが好ましい。
【００１９】
図４および図５に示すように、胴部材は、外部柱石２２、内部柱石２１、および、外部石壁２５と内部石壁２３と中間石壁２４との３重壁で構成される。
【００２０】
外部柱石２２は外側底石板１２の上部に複数個設けられ、内部柱石２１は内側底石板１３の外側に一致するように複数個設けられる。このとき、外部柱石２２の長さは内部柱石２１の長さより長く設けられ、外部柱石２２は底の多孔層１４に隣接するように外側底石板１２の内側に隣接するように設けられる。また、納骨墓の大きさによって外部柱石２２同士の間に中間柱石２８が設けられる。一方、外部柱石２２および内部柱石２１の側面には縦方向に挿入溝２９、２９’が形成されており、外部柱石２２の挿入溝２９には納骨墓の外壁を形成する外部石壁２５が挿入・設置され、内部柱石の挿入溝２９’には納骨墓の安置室６０を形成する内部石壁２３がそれぞれ挿入・設置される。
【００２１】
また、内部柱石２１の外側には内部柱石２１を取り囲む中間石壁２４が設けられる。中間石壁２４は、外部柱石２２の高さと内部柱石２１の高さとの間に位置する高さを有することが好ましい。
【００２２】
図７および図８に示すように、このように設けられた内部石壁２３、中間石壁２４、および外部石壁２５により、内部石壁２３と中間石壁２４との間には空気流通空間２６が形成され、外部石壁２５と中間石壁２４との間の空間には砂利を充填して多孔層２７を形成する。かかる多孔層２７は底の多孔層１４に延長されている。
【００２３】
一方、外部石壁２５および中間石壁２４の下部には、外部空気が空気流通空間２６内に流入されるように第１の連通孔５１が複数個形成され、内部石壁２３の下部には、空気流通空間２６に流入した空気が安置室に流入されるように第２の連通孔５２が複数個形成される。また、内部石壁２３および中間石壁２４の上部には安置室内部の空気を多孔層２７に流入させるための複数の第３の連通孔５３が形成される。このような第１の連通孔５１および第２の連通孔５２を介して納骨墓外部の新鮮な空気が空気流通空間２６に流入された後に安置室６０の内部に供給され、第３の連通孔５３を介して安置室内部の高温多湿な空気が多孔層２７に誘導され、空気中に含まれている水分が除去される。
【００２４】
一方、外部石壁２５に形成された第１の連通孔５１の外側には、虫、昆虫、各種異物などが内部に流入することを防止できる網（図示せず）が設けられることは公知の技術であり、本発明においてもこれを用いる。
【００２５】
このような構造を通じて、納骨墓の外部を形成する外壁と、遺骨箱などの置かれる安置室６０とが完成される。
【００２６】
図９および図１０に示すように、前門石門は、納骨墓の正面に位置しており、納骨墓への外部からの出入りを統制する外部石門３８と、安置室６０内部への出入りを統制する内部石門３７とでなる。
【００２７】
前門石門の下敷部３１は、外側底石板１２および内側底石板１３の上部を同時に支持するように置かれる。下敷部３１の両側面には、外部石壁２５と同じ高さの外部固定部が外側に設けられ、内部石壁２３および中間石壁２４と同じ高さを有するように短い段差３６を形成した内部固定部３３が内側に設けられる。すなわち、内部固定部３３の上部において中間石壁２４に位置する部分は中間石壁２４と同じ高さを有し、内部石壁２３に位置する部分は内部石壁２３と同じ高さを有する。一方、外部固定部の上部は、外部石壁２５と同じ高さを有し、内部固定部に隣接した一側の上部が内部石壁２３と同じ高さを有するように短い段差３５を形成する。
【００２８】
また、内部固定部の内側には内部固定部３３より高さの低い側面石門枠３４が設けられる。
【００２９】
一方、側面石門枠３４および内部固定部３３の上部には、中間石壁２４および内部固定部３３の高さに一致する大きさを有する内側上部石門枠３５が設けられる。内側上部石門枠３５は、側面石門枠３４および内部固定部３３をしっかりと固定する。また、外部固定部３２の上部に形成された短い段差には外側上部石門枠３６が設けられ、外側上部石門枠３６の下部の一端には短い段差が形成され、内側上部石門枠３５の上部に設けられて支持可能にすることが好ましい。
【００３０】
このような構造として形成したそれぞれの石門枠の内部に、内部石門３７と外部石門３８とが設けられることにより前門石門が完成される。
【００３１】
図８、図１０、および図１１に示すように、納骨墓の屋根部材は、下部天井４１、中間天井４２、および上部天井４３の３重構造で構成される。下部天井４１は、内部柱石２１、内部石壁２３、および内部柱石と同じ高さを有するように内側上部石門枠３５の上部の短い段差に設けられて安置室６０の内部を形成する。
【００３２】
中間天井４２は、中間石壁２４および中間石壁２４と同じ高さを有する内側上部石門枠３５の上部に設けられ、下部天井４１と共に空気の存在する空気流通空間２６’を形成する。空気流通空間２６’は、側面部に形成された空気流通空間２６に連通され、第１の連通孔５１を介して流入された空気が上部に流通される。
【００３３】
また、上部天井４３は、外部柱石２２および外側上部石門枠３６の上部に設けられ、中間天井４２と共に砂利層２７’を形成する。砂利層２７’は、側面部に形成された多孔層２７に連結され、第３の連通孔５３を介して流入された安置室６０内の高温多湿な空気が拡散するとき、空気内に含まれている水分を除去する。
【００３４】
その後、上部天井４３の上部をドーム型、瓦型、塔型などといった様々な形態にすることによって納骨墓の外形を完成する。
【００３５】
以上では、本発明の実施の形態によって本発明を説明したが、本発明の属する技術分野で通常の知識を有する者が、本発明の技術的思想を逸脱しない範囲内において設計、変更、材料変更、または外部形象を変形したものも、本発明の範疇に含まれることは言うまでもない。
【図面の簡単な説明】
【００３６】
【図１】従来の墳墓型納骨墓の結露防止装置の設置状態図である。
【図２】本発明の実施の形態による基層部分の設置状態図である。
【図３】本発明の実施の形態による基層部分の設置状態図である。
【図４】本発明の実施の形態による各柱石の設置状態図である。
【図５】図４の各柱石に装着された外部石壁、中間石壁、および内部石壁の設置状態図を示す断面図である。
【図６】図５のＡ−Ａ’線断面図である。
【図７】図５のＢ−Ｂ’線断面図である。
【図８】本発明の実施例による前門石門枠の設置状態図である。
【図９】本発明の実施例による前門石門枠の縦断面図である。
【図１０】本発明の実施例による屋根部分の設置状態図である。
【図１１】図１０のＣ−Ｃ’線断面図である。
【符号の説明】
【００３７】
１０  地面
１１  基礎石板
１２  外側底石板
１３  内側底石板
１４  多孔層
１５  陷沒部
２１  内部柱石
２２  外部柱石
２３  内部石壁
２４  中間石壁
２５  外部石壁
２６、２６’  空気流通空間
３７  内部石門
３８  外部石門
４１  下部天井
４２  中間天井
４３  上部天井
５１  第１の連通孔
５２  第２の連通孔
５３  第３の連通孔
６０  安置室
【図１】
2005068963.tif 000003
【図２】
2005068963.tif 000004
【図３】
2005068963.tif 000005
【図４】
2005068963.tif 000006
【図５】
2005068963.tif 000007
【図６】
2005068963.tif 000008
【図７】
2005068963.tif 000009
【図８】
2005068963.tif 000010
【図９】
2005068963.tif 000011
【図１０】
2005068963.tif 000012
【図１１】
2005068963.tif 000013